Podtech/llm-jp-corpus-v4-ja_patent huggingface dataset:
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
ワイヤレス超音波プローブであって、
第一の側、第二の側、及びグリップ部を有するプローブハウジングであって、前記第一の側は第一のトランスデューサアレイを有し、前記第二の側は第二のトランスデューサアレイを有し、前記第一及び第二のトランスデューサアレイは、異なるスキャンモードで動作するように構成される、プローブハウジングと、
前記第一及び第二のトランスデューサアレイに結合される、少なくとも一つのビームフォーマであって、前記少なくとも一つのビームフォーマは複数のチャネルを含み、前記複数のチャネルの各々は少なくとも二つの送信器を含み、第一の送信器は前記第一のアレイに結合され、第二の送信器は前記第二のアレイに結合される、少なくとも一つのビームフォーマと、
超音波スキャンプロシージャのために前記第一又は第二のトランスデューサアレイの間で選択するように構成される前記ハウジングにおけるプロセッサと、
ユーザに対する表示のために超音波画像データを生成するように構成される画像プロセッサと
を有する、ワイヤレス超音波プローブ。
【請求項２】
前記第一及び第二のアレイと異なるスキャンモードで動作するように構成される第三のトランスデューサアレイを有する第三の側を有する、請求項１に記載のワイヤレス超音波プローブ。
【請求項３】
前記プローブハウジングは、正方形、長方形、三角形、又は台形の形状を有する、請求項１に記載のワイヤレス超音波プローブ。
【請求項４】
前記第二のトランスデューサアレイは、前記第一のトランスデューサアレイでスキャンされるとき、それが前記ユーザの手のグリップによって囲まれるように前記プローブハウジングに関して構成される、請求項１に記載のワイヤレス超音波プローブ。
【請求項５】
前記トランスデューサアレイの何れが前記超音波スキャンプロシージャのために選択されるかを特定する、少なくとも一つのインジケータコンポーネントを更に有する、請求項１に記載のワイヤレス超音波プローブ。
【請求項６】
前記少なくとも一つのインジケータコンポーネントはライトを有する、請求項５に記載のワイヤレス超音波プローブ。
【請求項７】
前記プローブハウジング上に起動コンポーネントを更に有し、前記第一又は第二のトランスデューサアレイの選択は前記起動コンポーネントの機能を規定する、請求項１に記載のワイヤレス超音波プローブ。
【請求項８】
前記起動コンポーネントは、前記選択されるトランスデューサアレイに従って起動されるように構成される、請求項７に記載のワイヤレス超音波プローブ。
【請求項９】
患者に関して前記プローブの位置情報を提供するように構成されるモーションセンサを更に有する、請求項１に記載のワイヤレス超音波プローブ。
【請求項１０】
請求項１に記載の前記プローブ及び前記プローブとワイヤレス通信するように構成されるディスプレイを有する、超音波診断スキャンシステム。
【請求項１１】
前記プローブ、前記ディスプレイ、又はその両方が、ユーザにスキャンモードプリセットを提供するように構成される、請求項１０に記載の超音波診断スキャンシステム。
【請求項１２】
前記スキャンモードプリセットはユーザ入力に従って選択されることができる、請求項１１に記載の超音波診断スキャンシステム。
【請求項１３】
前記ユーザ入力は前記プローブ又は前記ディスプレイ上においてボタン又はタッチベースの選択装置を有する、請求項１０に記載の超音波診断スキャンシステム。
【請求項１４】
心臓、腹部、心臓及び腎臓イメージングプリセットを有する複数のイメージプリセットを有する、請求項１２に記載の超音波診断スキャンシステム。
【請求項１５】
前記複数のチャネルは、前記第一のアレイ及び前記第二のアレイを同時に動作させるように構成される、請求項１に記載のワイヤレス超音波プローブ。
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
遠隔操作アセンブリによる動作のために構成される医療器具と、
１つ又はそれよりも多くのプロセッサを含む処理ユニットとを含み、
該処理ユニットは、
前記遠隔操作アセンブリに指令を提供して、命令される速度プロファイルに従って解剖学的通路内で前記医療器具を動かし、
前記解剖学的通路内に位置付けられる前記医療器具から空間情報のセットを受信し、
該空間情報のセットをフィルタリングして、前記命令される速度プロファイルに比例する、前記空間情報のセットからのある量の空間データ記録を選択する、
ように構成される、
システム。
【請求項２】
前記空間情報は、位置情報又は向き情報を含む、請求項１に記載のシステム。
【請求項３】
前記医療器具は、前記空間情報を追跡する電磁センサを含む、請求項１に記載のシステム。
【請求項４】
前記命令される速度プロファイルは、命令される第１の速度と、該第１の速度よりも大きい命令される第２の速度とを含み、前記空間情報のセットをフィルタリングすることは、前記第２の速度についての第２の時間期間の間よりも、前記第１の速度についての第１の時間期間の間に、より少ない空間データ記録を選択することを含む、請求項１に記載のシステム。
【請求項５】
前記処理ユニットは、
前記解剖学的通路のモデルについてのモデル空間情報のセットを受信し、
前記空間情報のセットから選択される量の空間データ記録を前記モデル空間情報のセットに位置合わせする、
ように更に構成される、
請求項１に記載のシステム。
【請求項６】
前記処理ユニットは、
力センサから信号を受信し、
前記力センサから受信する信号に基づき前記医療器具からの前記空間情報のセットの受信を終了する、
ように更に構成される、
請求項１に記載のシステム。
【請求項７】
遠隔操作アセンブリによる動作のために構成される医療器具と、
１つ又はそれよりも多くのプロセッサを含む処理ユニットとを含み、
該処理ユニットは、
複数の時間期間での前記医療器具の遠位端についての位置情報を含む複数の空間データ記録を含む第１のセットの空間情報を解剖学的通路内に位置付けられる前記医療器具から受信し、
前記複数の空間データ記録を時間的に収集される順序で順序付け、
前記複数の空間データ記録のうちの第１及び第２の連続的な空間データ記録の間の空間的な関係を評価し、
該評価される空間的な関係に基づき前記第１のセットの空間情報をフィルタリングする、
ように構成される、
システム。
【請求項８】
前記空間的な関係は、距離であり、
前記フィルタリングすることは、
前記第１及び第２の連続的な空間データ記録の間の距離が距離閾値よりも下であるか否かを決定すること、並びに
前記距離が前記距離閾値よりも下であるならば、前記複数の空間データ記録から前記第１又は第２の連続的な空間データ記録のうちの一方を除去することを含む、
請求項７に記載のシステム。
【請求項９】
前記空間的な関係は、距離であり、
前記フィルタリングすることは、
前記第１及び第２の連続的な空間データ記録の間の距離が距離閾値よりも大きいか否かを決定すること、並びに
前記距離が前記距離閾値よりも上であるならば、前記複数の空間データ記録から前記第１又は第２の連続的な空間データ記録のうちの一方を除去することを含む、
請求項７に記載のシステム。
【請求項１０】
前記空間的な関係は、距離であり、
該距離との比較のための距離閾値が、前記医療器具の既知の最大速さ又は前記第２の連続的な空間データ記録が得られる前及び後の両方での前記医療器具の既知の速さから決定される、請求項７に記載のシステム。
【請求項１１】
前記第１のセットの空間情報をフィルタリングすることは、前記複数の空間データ記録から少なくとも１つの空間データ記録を除去すること、又は前記複数の空間データ記録からの少なくとも１つの空間データ記録に前記空間データ記録の他のものと異なる重みを付けることを含む、請求項７に記載のシステム。
【請求項１２】
前記処理ユニットは、
前記解剖学的通路のモデルから第２のセットの空間情報を受信し、
前記フィルタリングされる第１のセットの空間情報を前記第２のセットの空間情報に位置合わせする、
ように更に構成される、
請求項７に記載のシステム。
【請求項１３】
前記第２のセットの空間情報は、前記解剖学的通路に対応する複数のボクセルを含む、請求項１２に記載のシステム。
【請求項１４】
前記第２のセットの空間情報は、前記解剖学的通路と関連付けられるボクセルマップを含み、前記複数の空間データ記録の前記第１及び第２の連続的な空間データ記録の間の前記空間的な関係を評価することは、前記第１及び第２の空間データ記録の各々を前記ボクセルマップ内のボクセルと関連付けることを含み、前記評価される空間的な関係に基づき前記第１のセットの空間情報をフィルタリングすることは、前記ボクセルマップ内の各ボクセルに対応する前記第１のセットの空間情報からの前記空間データ記録の量をトラッキングすることを含む、
請求項１２に記載のシステム。
【請求項１５】
前記処理ユニットは、前記フィルタリングされる第１のセットの空間情報に基づく前記医療器具の画像を前記解剖学的通路の画像との共通のディスプレイ上にレンダリングするように更に構成される、請求項７に記載のシステム。
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
欠陥のある血管、体腔又は体管内に、前記欠陥のある血管、体腔又は体管の治療、好ましくは焼灼治療のために挿入される医療デバイスであって、実質的に円筒状に形成された長尺状の弾性シースデバイス（２）を含み、前記弾性シースデバイス（２）は、遠位端（３）と近位端（４）とを有し、前記シースデバイス（２）には前記シースデバイス（２）の周囲表面に沿って軸方向に、溝付開口部（５）が設けられており、前記溝付開口部（５）は、前記シースデバイス（２）の軸方向に配置された第１のボア（６）との接続を有し、前記第１のボア（６）は長尺状のファイバ本体（７）を収容する機能を有し、前記シースデバイス（２）は前記ファイバ本体（７）の外周部の主要部分にクランプされる機能を有し、前記シースデバイス（２）には前記シースデバイス（２）の軸方向に、注入手段（９）を収容する機能を有する第２のボア（８）も設けられていることを特徴とする、医療デバイス。
【請求項２】
請求項１に記載の医療デバイスにおいて、前記シースデバイス（２）が一体型であり、生体適合性ポリマー材料で作製されていることを特徴とする医療デバイス。
【請求項３】
請求項１又は２に記載の医療デバイスにおいて、前記シースデバイス（２）が、４〜３４Ｆ（１．２７〜１０．８２ｍｍ）、好ましくは４〜８Ｆ（１．２７〜２．５５ｍｍ）、より好ましくは５〜７Ｆ（１．５９〜２．２３ｍｍ）の外部断面直径を有することを特徴とする医療デバイス。
【請求項４】
請求項１乃至３の何れか一項に記載の医療デバイスにおいて、前記第２のボア（８）が前記第２のボア（８）内に、２０〜２２ゲージ（０．９０〜０．７１ｍｍ）の外径を有する注入手段（９）の収容を可能にする直径を有し、前記第２のボア（８）の断面積は円形若しくは実質的に円形又は楕円形若しくは実質的に楕円形であることを特徴とする医療デバイス。
【請求項５】
請求項１乃至４の何れか一項に記載の医療デバイスにおいて、前記第１のボア（６）が円形又は実質的に円形の断面を有することを特徴とする医療デバイス。
【請求項６】
請求項５に記載の医療デバイスにおいて、前記第１のボア（６）が０．９６〜２．７０ｍｍ、好ましくは、１．１１〜１．６７ｍｍの直径を有することを特徴とする医療デバイス。
【請求項７】
請求項１乃至６の何れか一項に記載の医療デバイスにおいて、前記溝付開口部（５）内で互いに面している前記シースデバイス（２）の辺縁部間の隙間が多くとも１．３ｍｍであることを特徴とする医療デバイス。
【請求項８】
請求項１乃至７の何れか一項に記載の医療デバイスにおいて、前記第１のボア（６）が、前記溝付開口部（５）と前記第２のボア（８）との間に配置されていることを特徴とする医療デバイス。
【請求項９】
請求項１乃至８の何れか一項に記載の医療デバイスにおいて、前記第１のボア（６）と前記第２のボア（８）との間の距離が多くとも０．５ｍｍであることを特徴とする医療デバイス。
【請求項１０】
請求項１に記載の医療デバイスと、前記ファイバ本体（７）と、前記注入手段（９）と、を含む、欠陥のある血管、体腔及び体管の治療、好ましくは焼灼治療のためのキット。
【請求項１１】
請求項１０に記載のキットにおいて、医療流体（１０）用の容器と、医療流体を前記注入手段（９）に投与するための調整手段（１１）と、レーザ又は高周波エネルギーの発生器（１７）と、も含むことを特徴とするキット。
【請求項１２】
請求項１０に記載のキットにおいて、前記第１のボア（６）が、前記ファイバ手段（７）を収容し、前記第１のボア（６）の内部表面と前記ファイバ本体（７）の周囲表面との間における軸方向の摺動動作を可能にする機能を有することを特徴とするキット。
【請求項１３】
請求項１０に記載のキットにおいて、前記ファイバ本体（７）が、レーザエネルギー又は高周波エネルギーを放出するファイバであることを特徴とするキット。
【請求項１４】
請求項１０に記載のキットにおいて、前記注入手段（９）は注入針であり、前記注入針は、前記注入針の遠位先端部が前記第２のボア（８）から押し出されると、前記注入針は既定の距離径方向に逸れる機能を有するように作製されていることを特徴とするキット。
【請求項１５】
請求項１４に記載のキットにおいて、前記注入手段（９）が記憶特性を有する金属で作製されていることを特徴とするキット。
【請求項１６】
請求項１０に記載のキットにおいて、前記第２のボア（８）が、前記第２のボア（８）内に前記注入手段（９）を収容し、前記第２のボア（８）の内部表面と前記注入手段（９）の周囲表面との間における軸方向の摺動動作を可能にする機能を有することを特徴とするキット。
【請求項１７】
請求項１０に記載のキットにおいて、前記医療流体（１０）用の前記容器は、膨脹作用及び麻酔作用の両方、細胞増殖抑制性作用又は硬化作用を有する流体を含むことを特徴とするキット。
【請求項１８】
請求項１０に記載のキットにおいて、導入シース（１５）と、前記医療流体を圧送するためのポンプと、も含むことを特徴とするキット。
【請求項１９】
欠陥のある血管、体腔若しくは体管の治療、好ましくは焼灼治療で使用するための請求項１に記載の医療デバイス又は請求項１０に記載のキットにおいて、前記欠陥のある血管は、静脈又は動脈、好ましくは拡張蛇行静脈であり、前記欠陥のある体腔は、嚢、瘻及び腫瘍であり、前記欠陥のある体管は、気管支、胆管、尿路及び胃腸管であることを特徴とする医療デバイス又はキット。
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
ワイヤレスユーザデバイスを動作させる方法であって、
ヘッドセットジャックに差し込まれたアクセサリデバイスがオーディオアクセサリデバイスを含むとき、前記ユーザデバイスの前記ヘッドセットジャックの1つまたは複数のピンをオーディオコーダ-デコーダ(コーデック)に接続するステップと、
前記ヘッドセットジャックに差し込まれた前記アクセサリデバイスが非オーディオアクセサリデバイスを含むとき、前記ヘッドセットジャックの1つまたは複数のピンをオーディオコーデック以外の代替回路に接続するステップと、
前記代替回路を通して、前記アクセサリデバイスの電気的動作パラメータ要件を判断するステップと、
前記代替回路から、前記ヘッドセットジャックを通して要求された電気的動作パラメータを前記アクセサリデバイスに与えるステップであって、前記要求された前記電気的動作パラメータは、要求された供給電圧、要求された供給電流、または前記アクセサリデバイスのための低電力指示のうちの少なくとも1つである、ステップと
を含み、
前記ヘッドセットジャックの1つまたは複数のピンを前記代替回路に接続するステップは、前記オーディオコーデックに通常接続される1つまたは複数のピンの接続を前記代替回路との接続に切り替えるステップを含む、
方法。
【請求項２】
前記ヘッドセットジャックの1つまたは複数のピンを前記代替回路に接続するステップは、前記アクセサリデバイスがオーディオアクセサリデバイスであるか否かを判断するステップを含む、請求項1に記載の方法。
【請求項３】
前記代替回路はデータイン/アウトラインを含み、前記アクセサリデバイスの電気的動作パラメータ要件を判断するステップは、前記アクセサリデバイスから前記データイン/アウトラインを介して前記電気的動作パラメータ要件に対応する情報を受信するステップを含む、請求項1に記載の方法。
【請求項４】
前記電気的動作パラメータ要件は、要求電圧および要求電流のうちの1つを含む、請求項3に記載の方法。
【請求項５】
前記ヘッドセットジャックを通して、前記アクセサリデバイスに前記要求された電気的動作パラメータを与えるステップは、
前記要求電圧を出力するためにプログラマブル電圧レギュレータを調整するステップと、
前記要求電流を出力するためにプログラマブル電流レギュレータを調整するステップと
のうちの1つまたは複数を含む、請求項4に記載の方法。
【請求項６】
前記電気的動作パラメータ要件は、前記アクセサリデバイスの電池の低充電レベルの指示を含み、前記ヘッドセットジャックを通して、前記アクセサリデバイスに前記要求された電気的動作パラメータを与えるステップは、前記ヘッドセットジャックを通して前記電池を充電するためのソースを与えるステップを含み、前記ソースは前記ユーザデバイスの電池または前記ユーザデバイスの充電ポートのうちの1つまたは複数に対応する、請求項3に記載の方法。
【請求項７】
前記ユーザデバイスの電池の低充電レベルの指示を受信するステップと、
前記ヘッドセットジャックを通して前記電池を充電するためのソースを与えるステップであって、前記ソースは前記アクセサリデバイスの電池または前記アクセサリデバイスの充電ポートのうちの1つまたは複数に対応する、ステップと
をさらに含む、請求項1に記載の方法。
【請求項８】
前記オーディオアクセサリデバイスは非オーディオ構成要素を含み、前記方法は、前記非オーディオ構成要素の動作中に、前記ヘッドセットジャックの1つまたは複数のピンを前記オーディオコーデック以外の前記代替回路に接続するステップをさらに含む、請求項1に記載の方法。
【請求項９】
ユーザデバイスであって、
ヘッドセットジャックに差し込まれたアクセサリデバイスがオーディオアクセサリデバイスを含むとき、前記ユーザデバイスの前記ヘッドセットジャックの1つまたは複数のピンをオーディオコーダ-デコーダ(コーデック)に接続するための手段と、
前記ヘッドセットジャックに差し込まれた前記アクセサリデバイスが非オーディオアクセサリデバイスを含むとき、前記ヘッドセットジャックの1つまたは複数のピンをオーディオコーデック以外の代替回路に接続するための手段と、
前記代替回路を通して、前記アクセサリデバイスの電気的動作パラメータ要件を判断するための手段と、
前記代替回路から、前記ヘッドセットジャックを通して要求された電気的動作パラメータを前記アクセサリデバイスに与えるための手段であって、前記要求された電気的動作パラメータは、要求された供給電圧、要求された供給電流、または前記アクセサリデバイスのための低電力指示のうちの少なくとも1つである、手段と
を備え、
前記ヘッドセットジャックの1つまたは複数のピンを前記代替回路に前記接続するための手段は、前記オーディオコーデックに通常接続される前記1つまたは複数のピンの接続を前記代替回路との接続に切り替えるように構成される、
ユーザデバイス。
【請求項１０】
前記ヘッドセットジャックの1つまたは複数のピンを前記代替回路に前記接続するための手段は、前記アクセサリデバイスがオーディオアクセサリデバイスであるか否かを判断するように構成される、請求項9に記載のデバイス。
【請求項１１】
前記代替回路はデータイン/アウトラインを含み、前記アクセサリデバイスの電気的動作パラメータ要件を前記判断するための手段は、前記アクセサリデバイスから前記データイン/アウトラインを介して前記電気的動作パラメータ要件に対応する情報を受信するように構成される、請求項9に記載のデバイス。
【請求項１２】
前記電気的動作パラメータ要件は、要求電圧および要求電流のうちの1つを含む、請求項9に記載のデバイス。
【請求項１３】
前記電気的動作パラメータ要件は、前記アクセサリデバイスの電池の低充電レベルの指示を含み、前記ヘッドセットジャックを通して前記アクセサリデバイスに要求された前記電気的動作パラメータを与えることは、前記ヘッドセットジャックを通して前記電池を充電するためのソースを与えることを含み、前記ソースは前記ユーザデバイスの電池または前記ユーザデバイスの充電ポートのうちの1つまたは複数に対応する、請求項9に記載のデバイス。
【請求項１４】
前記オーディオアクセサリデバイスは非オーディオ構成要素を含み、前記非オーディオ構成要素の動作中に、前記ヘッドセットジャックの1つまたは複数のピンを前記オーディオコーデック以外の前記代替回路に接続することをさらに含む、請求項9に記載のデバイス。
【請求項１５】
ユーザデバイスのためのコンピュータ実行可能コードを記憶するコンピュータ可読記録媒体であって、前記コードがコンピュータ上で実行されるとき、請求項1〜8のいずれか一項に記載の方法の全てのステップを実行するためのコードを含む、コンピュータ可読記録媒体。
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
ネットワークデバイスのための通信の方法であって、
第１のユーザ機器（ＵＥ）から、発見された第２のＵＥに関連する情報についての要求を受信することと、前記情報が、前記第２のＵＥに関連するロケーション情報を備える、
前記第１のＵＥが前記ロケーション情報を受信することを許可されるかどうかを決定することと、
前記決定に基づいて前記第２のＵＥによって前記ロケーション情報の報告を開始するように構成されたメッセージを送ることと
を備える方法。
【請求項２】
前記ロケーション情報についての前記要求が、前記第１のＵＥから一致報告メッセージ中で受信される、請求項１に記載の方法。
【請求項３】
第２のネットワークデバイスからまたは前記第２のＵＥから前記ロケーション情報を受信することと、
前記第１のＵＥに前記ロケーション情報を送ることと
をさらに備える、請求項１に記載の方法。
【請求項４】
前記ロケーション情報が、一致報告肯定応答メッセージ中で前記第１のＵＥに送られる、請求項３に記載の方法。
【請求項５】
前記第２のＵＥから受信された前記ロケーション情報が、前記第２のＵＥに関連するメタデータ中に含まれる、請求項３に記載の方法。
【請求項６】
前記ロケーション情報とともに前記第２のＵＥによって告知されるべきロケーション搬送コード、または前記第２のＵＥによって告知されるべき前記ロケーション情報の決定を可能にするセキュリティ鍵を備えるメッセージを前記第１のＵＥに送ること
をさらに備える、請求項１に記載の方法。
【請求項７】
第１のユーザ機器（ＵＥ）のためのワイヤレス通信の方法であって、
近接サービス（ＰｒｏＳｅ）発見、Ｂｌｕｅｔｏｏｔｈ低エネルギー（ＢＴＬＥ）発見、またはＷｉ−Ｆｉ  Ａｌｌｉａｎｃｅネイバーアウェアネットワーキング（ＷＦＡ  ＮＡＮ）発見を通して第２のＵＥを発見することと、
ネットワークデバイスに、前記第２のＵＥに関連するロケーション情報についての要求を送ることと、
前記ネットワークデバイスから、ロケーション搬送コードまたはセキュリティ鍵を含むメッセージを受信することと、
前記第１のＵＥが前記ロケーション情報を受信することを許可されるとき、前記ロケーション情報を受信することと、ここにおいて、前記ロケーション情報が、前記ロケーション搬送コードまたは前記セキュリティ鍵を使用して処理される、
を備える、方法。
【請求項８】
前記ロケーション情報が、ブロードキャストメッセージ中で前記第２のＵＥから受信され、前記方法が、
前記ネットワークデバイスから、前記ロケーション情報とともに前記第２のＵＥによって告知されるべき前記ロケーション搬送コードを備える前記メッセージを受信することと、
前記ロケーション搬送コードを使用して前記ブロードキャストメッセージを処理することと
をさらに備える、請求項７に記載の方法。
【請求項９】
前記ロケーション情報が、ブロードキャストメッセージ中で前記第２のＵＥから受信され、前記ロケーション情報が、前記セキュリティ鍵を用いて保護され、前記方法が、
前記ネットワークデバイスから、前記セキュリティ鍵を備える前記メッセージを受信することと、
前記ロケーション情報を決定するために前記セキュリティ鍵を使用して前記第２のＵＥによって告知された前記ブロードキャストメッセージを処理することと
をさらに備える、請求項７に記載の方法。
【請求項１０】
ネットワークデバイスであって、
第１のユーザ機器（ＵＥ）から、発見された第２のＵＥに関連する情報についての要求を受信するための手段と、前記情報が、前記第２のＵＥに関連するロケーション情報を備える、
前記第１のＵＥが前記ロケーション情報を受信することを許可されるかどうかを決定するための手段と、
前記決定に基づいて前記第２のＵＥによって前記ロケーション情報の報告を開始するように構成されたメッセージを送るための手段と
を備えるネットワークデバイス。
【請求項１１】
前記第２のＵＥから受信された前記ロケーション情報が、前記第２のＵＥに関連するメタデータ中に含まれる、請求項１０に記載のネットワークデバイス。
【請求項１２】
前記ロケーション情報とともに前記第２のＵＥによって告知されるべきロケーション搬送コード、または前記第２のＵＥによって告知されるべき前記ロケーション情報の決定を可能にするセキュリティ鍵を備えるメッセージを前記第１のＵＥに送るための手段
をさらに備える、請求項１０に記載のネットワークデバイス。
【請求項１３】
第１のユーザ機器（ＵＥ）であって、
近接サービス（ＰｒｏＳｅ）発見、Ｂｌｕｅｔｏｏｔｈ低エネルギー（ＢＴＬＥ）発見、またはＷｉ−Ｆｉ  Ａｌｌｉａｎｃｅネイバーアウェアネットワーキング（ＷＦＡ  ＮＡＮ）発見を通して第２のＵＥを発見するための手段と、
ネットワークデバイスに、前記第２のＵＥに関連するロケーション情報についての要求を送るための手段と、
前記ネットワークデバイスから、ロケーション搬送コードまたはセキュリティ鍵を含むメッセージを受信するための手段と、
前記第１のＵＥが前記ロケーション情報を受信することを許可されるとき、前記ロケーション情報を受信するための手段と、ここにおいて、前記ロケーション情報が、前記ロケーション搬送コードまたは前記セキュリティ鍵を使用して処理される、
を備える、第１のＵＥ。
【請求項１４】
コンピュータプログラムがコンピュータシステムによって実行されるときに請求項１〜請求項６の方法のステップを前記コンピュータシステムに行わせる命令を備える、コンピュータプログラム。
【請求項１５】
コンピュータプログラムがコンピュータシステムによって実行されるときに請求項７〜請求項９の方法のステップを前記コンピュータシステムに行わせる命令を備える、コンピュータプログラム。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
無線通信システムにおけるクライアントの動作方法において:
第１時間区間（time period）及び第２時間区間に基づいて、少なくとも１つの伝送制御プロトコル（transmission control protocol、ＴＣＰ）接続に対するガードタイム区間（guard time period）を決定する過程と、
前記ガードタイム区間の満了に対応して、前記少なくとも１つのＴＣＰ接続を終了する過程を含み、
前記第１時間区間は要求の伝送時点から前記要求に対する応答の受信時点までの時間区間で、
前記第２時間区間は前記応答の受信時点から次の要求の伝送時点までの時間区間である方法。
【請求項２】
前記ガードタイム区間はサーバによって開始される（server-initiated）ＴＣＰ接続終了に対する時点より先である請求項１に記載の方法。
【請求項３】
前記サーバ開始のＴＣＰ接続終了は前記少なくとも１つのＴＣＰ接続の終了を指示するメッセージに対応して行われ、
前記メッセージはサーバから受信される請求項２に記載の方法。
【請求項４】
無線通信システムにおけるクライアントの動作方法において、
前記クライアントとサーバの間に設定された第１伝送制御プロトコル（transmission control protocol、ＴＣＰ）接続及び第２ＴＣＰ接続を識別する過程と、
前記第１ＴＣＰ接続の終了が前記サーバによって開始されることを識別する過程と、
前記第２ＴＣＰ接続に対する終了の開始に対応して、前記第１ＴＣＰ接続及び前記第２ＴＣＰ接続をいずれも終了する過程と、を含む方法。
【請求項５】
前記第１ＴＣＰ接続の終了は、前記サーバから受信された終了メッセージに対応して開始される請求項４に記載の方法。
【請求項６】
前記第１ＴＣＰ接続のガードタイム区間（guard time period）は予め決定された基準時間よりも長く、
前記ガードタイム区間は第１時間区間（time period）及び第２時間区間に基づいて決定され、
前記第１時間区間は要求の伝送時点から前記要求に対する応答の受信時点までの時間区間で、
前記第２時間区間は前記応答の受信時点から次の要求の伝送時点までの時間区間である請求項４に記載の方法。
【請求項７】
前記第１ＴＣＰ接続のガードタイム区間（guard time period）の満了時点に前記第１ＴＣＰ接続を終了する過程をさらに含み、
前記ガードタイム区間は予め決定された基準時間より短く、
前記ガードタイム区間は第１時間区間（time period）及び第２時間区間に基づいて決定され、
前記第１時間区間は要求の伝送時点から前記要求に対する応答の受信時点までの時間区間で、
前記第２時間区間は前記応答の受信時点から次の要求の伝送時点までの時間区間である請求項４に記載の方法。
【請求項８】
前記ガードタイム区間は前記第１ＴＣＰ接続に対するサーバ開始（server-initiated）の終了の時点より以前に満了する請求項６又は７に記載の方法。
【請求項９】
前記第１ＴＣＰ接続に対するサーバ開始の終了は、前記第１ＴＣＰ接続の終了を指示するメッセージに対応して行われ、
前記メッセージは、前記サーバから受信される請求項８に記載の方法。
【請求項１０】
前記要求及び前記次の要求は前記第１ＴＣＰ接続を介して前記クライアントから前記サーバに伝送され、
前記応答は前記第１ＴＣＰ接続を介して前記サーバから前記クライアントに伝送される請求項６又は７に記載の方法。
【請求項１１】
無線通信システムにおけるクライアントの装置において、
第１時間区間（time period）及び第２時間区間に基づいて、少なくとも１つの伝送制御プロトコル（transmission control protocol、ＴＣＰ）接続に対するガードタイム区間（guard time period）を決定し、前記ガードタイム区間の満了に対応して、前記少なくとも１つのＴＣＰ接続を終了する制御部を含み、
前記第１時間区間は要求の伝送時点から前記要求に対する応答の受信時点までの時間区間で、
前記第２時間区間は前記応答の受信時点から次の要求の伝送時点までの時間区間である装置。
【請求項１２】
前記ガードタイム区間はサーバによって開始される（server-initiated）ＴＣＰ接続終了に対する時点より先である請求項１１に記載の装置。
【請求項１３】
前記サーバ開始のＴＣＰ接続終了は前記少なくとも１つのＴＣＰ接続の終了を指示するメッセージに対応して行われ、
前記メッセージはサーバから受信される請求項１２に記載の装置。
【請求項１４】
無線通信システムにおけるクライアントの装置において、
前記クライアントとサーバの間に設定された第１伝送制御プロトコル（transmission control protocol、ＴＣＰ）接続及び第２ＴＣＰ接続を識別し、前記第１ＴＣＰ接続の終了が前記サーバによって開始されることを識別し、前記第２ＴＣＰ接続に対する終了の開始に対応して、前記第１ＴＣＰ接続及び前記第２ＴＣＰ接続をいずれも終了する制御部を含む装置。
【請求項１５】
前記第１ＴＣＰ接続の終了は、前記サーバから受信された終了メッセージに対応して開始される請求項１４に記載の装置。
【請求項１６】
前記第１ＴＣＰ接続のガードタイム区間（guard time period）は予め決定された基準時間より長く、
前記ガードタイム区間は第１時間区間（time period）及び第２時間区間に基づいて決定され、
前記第１時間区間は要求の伝送時点から前記要求に対する応答の受信時点までの時間区間で、
前記第２時間区間は前記応答の受信時点から次の要求の伝送時点までの時間区間である請求項１４に記載の装置。
【請求項１７】
前記制御部は、前記第１ＴＣＰ接続のガードタイム区間（guard time period）の満了時点に前記第１ＴＣＰ接続を終了し、
前記ガードタイム区間は予め決定された基準時間より短く、
前記ガードタイム区間は第１時間区間（time period）及び第２時間区間に基づいて決定され、
前記第１時間区間は要求の伝送時点から前記要求に対する応答の受信時点までの時間区間で、
前記第２時間区間は前記応答の受信時点から次の要求の伝送時点までの時間区間である請求項１４に記載の装置。
【請求項１８】
前記ガードタイム区間は前記第１ＴＣＰ接続に対するサーバ開始（server-initiated）の終了の時点より以前に満了する請求項１６又は１７に記載の装置。
【請求項１９】
前記第１ＴＣＰ接続に対するサーバ開始の終了は、前記第１ＴＣＰ接続の終了を指示するメッセージに対応して行われ、
前記メッセージは、前記サーバから受信される請求項１８に記載の装置。
【請求項２０】
前記要求及び前記次の要求は前記第１ＴＣＰ接続を介して前記クライアントから前記サーバに伝送され、
前記応答は前記第１ＴＣＰ接続を介して前記サーバから前記クライアントに伝送される請求項１６又は１７に記載の装置。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
少なくとも１つの干渉信号を検出することと、
前記少なくとも１つの干渉信号の特性を決定することと、前記特性が、少なくともワイヤレス技術のタイプを含む、
前記少なくとも１つの干渉信号の各々の前記特性を示す情報をサービング発展型ノードＢ（ｅＮＢ）に送信することと
を備える、方法。
【請求項２】
前記少なくとも１つの干渉信号の前記特性が、ワイヤレス技術の前記タイプに関する情報を備える、請求項１に記載の方法。
【請求項３】
前記送信された情報が、前記少なくとも１つの干渉信号の各々の強度、前記少なくとも１つの干渉信号の各々の周期性、前記少なくとも１つの干渉信号の各々の帯域幅、または前記少なくとも１つの干渉信号の各々の周波数のうちの少なくとも１つをさらに示す、請求項１に記載の方法。
【請求項４】
前記サービングｅＮＢからダウンリンク送信のためのダウンリンク割当てを受信することをさらに備え、ここにおいて、前記ダウンリンク割当てが、前記送信された情報に少なくとも部分的に基づく、請求項１に記載の方法。
【請求項５】
干渉を測定するための構成を受信することをさらに備え、前記構成が、前記送信された情報に基づく、請求項１に記載の方法。
【請求項６】
干渉を測定するための前記構成が、干渉測定リソースを示す無線リソース制御（ＲＲＣ）メッセージ中で受信される、請求項５に記載の方法。
【請求項７】
前記サービングｅＮＢからダウンリンク送信を受信することと、
前記少なくとも１つの干渉信号の各々のための前記決定された特性に基づいて、前記ダウンリンク送信を処理することと
をさらに備える、請求項１に記載の方法。
【請求項８】
ダウンリンク信号を受信することと、前記ダウンリンク信号が、前記サービングｅＮＢからのダウンリンク送信と前記少なくとも１つの干渉信号とを備える、
前記少なくとも１つの干渉信号の各々のための前記決定された特性に基づいて、前記ダウンリンク送信から前記少なくとも１つの干渉信号の干渉を緩和することと
をさらに備える、請求項１に記載の方法。
【請求項９】
ワイヤレス通信のためのユーザ機器（ＵＥ）であって、
少なくとも１つの干渉信号を検出するための手段と、
前記少なくとも１つの干渉信号の特性を決定するための手段と、前記特性が、少なくともワイヤレス技術のタイプを含む、
前記少なくとも１つの干渉信号の各々の前記特性を示す情報をサービング発展型ノードＢ（ｅＮＢ）に送信するための手段と
を備える、ＵＥ。
【請求項１０】
発展型ノードＢ（ｅＮＢ）のワイヤレス通信の方法であって、
ユーザ機器（ＵＥ）から、前記ＵＥの少なくとも１つの干渉信号の各々の特性を示す情報を受信することと、前記特性が、少なくともワイヤレス技術のタイプを含む、
前記少なくとも１つの干渉信号の各々の前記特性を示す前記受信された情報に少なくとも部分的に基づいて、前記ＵＥに情報を送ることと
を備える、方法。
【請求項１１】
前記送られる情報が、前記少なくとも１つの干渉信号を緩和するためのダウンリンク送信のためのダウンリンク割当てを備える、請求項１０に記載の方法。
【請求項１２】
前記送られる情報が、前記ＵＥによる干渉測定のための構成を備える、請求項１０に記載の方法。
【請求項１３】
前記少なくとも１つの干渉信号が前記ｅＮＢに知られていない、請求項１０に記載の方法。
【請求項１４】
発展型ノードＢ（ｅＮＢ）であって、
ユーザ機器（ＵＥ）から、前記ＵＥの少なくとも１つの干渉信号の各々の特性を示す情報を受信するための手段と、前記特性が、少なくともワイヤレス技術のタイプを含む、
前記少なくとも１つの干渉信号の各々の前記特性を示す前記受信された情報に少なくとも部分的に基づいて、前記ＵＥに情報を送るための手段と
を備える、ｅＮＢ。
【請求項１５】
請求項１乃至８または１０乃至１３のいずれか一項に従った方法を行うためのコードを備える、ワイヤレス通信のためのコンピュータ実行可能コードを記憶するコンピュータ可読媒体。
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
基地局と通信状態にある第１のユーザ機器（ＵＥ）によるワイヤレス通信のための方法であって、
前記第１のＵＥへの送信のために、可変長ダウンリンク送信時間インターバール（ＴＴＩ）において１つまたは複数のシンボルのリソースを割り当てるダウンリンク許可を受信することと、
前記ダウンリンク許可によって割り当てられた前記リソースの一部が、第２のＵＥへの送信のために先取りされることとなることを示す制御信号のために、前記１つまたは複数のシンボルのうちの１つまたは複数をモニタすることと、
前記制御信号に少なくとも部分的に基づいて、前記ダウンリンク許可によって割り当てられた前記リソースの前記一部をキャンセルするかどうかを決定することと
を備える、方法。
【請求項２】
前記決定することに基づいて、前記ダウンリンク許可によって割り当てられた前記リソースの前記一部をキャンセルすることをさらに備える、
請求項１に記載の方法。
【請求項３】
前記決定することは、
前記制御信号が、前記可変長ダウンリンクＴＴＩの最後のシンボルから閾値数のシンボル内のシンボルにおいて受信されると決定することと、
前記可変長ダウンリンクＴＴＩの任意の残りのシンボルを受信し続けることで前記ダウンリンク許可によって割り当てられた前記リソースを維持することと
を備える、請求項１に記載の方法。
【請求項４】
前記制御信号は、前記第２のＵＥへのダウンリンク送信に対する第２のダウンリンク許可を備える、
請求項１に記載の方法。
【請求項５】
前記第２のＵＥへの前記ダウンリンク送信は、前記ダウンリンク許可によって前記第１のＵＥに割り当てられた前記リソースに関連付けられたダウンリンクデータよりも遅延センシティブである、
請求項４に記載の方法。
【請求項６】
前記制御信号は、後続のシンボルに対するアップリンク許可を備える、
請求項１に記載の方法。
【請求項７】
前記制御信号は、複数のＵＥによって復号される共通信号を備える、
請求項１に記載の方法。
【請求項８】
前記複数のＵＥは、無線リソース制御（ＲＲＣ）シグナリングを介して前記制御信号のためにモニタするように構成される、
請求項７に記載の方法。
【請求項９】
前記１つまたは複数のシンボルのうちの１つまたは複数を前記モニタすることは、
前記１つまたは複数のシンボル内の１つまたは複数の所定のシンボルをモニタすることを備える、
請求項１に記載の方法。
【請求項１０】
前記所定のシンボルは、前記ダウンリンク許可のうちの１つまたは複数において、または、無線リソース制御（ＲＲＣ）シグナリングを介して、指定される、
請求項９に記載の方法。
【請求項１１】
前記制御信号に少なくとも部分的に基づいて前記ダウンリンク許可によって割り当てられた前記リソースの前記一部をキャンセルすることと、
前記制御信号に関連付けられた第２のダウンリンク送信の持続時間を決定することと、
前記決定された持続時間中、ダウンリンク送信のモニタリングを一時停止することと、
前記決定された持続時間に続いてダウンリンク送信のモニタリングを継続することと
をさらに備える、請求項１に記載の方法。
【請求項１２】
基地局と通信状態にある第１のユーザ機器（ＵＥ）によるワイヤレス通信のための装置であって、
前記第１のＵＥへの送信のために、可変長ダウンリンク送信時間インターバール（ＴＴＩ）において１つまたは複数のシンボルのリソースを割り当てるダウンリンク許可を受信するための手段と、
前記ダウンリンク許可の一部が、第２のＵＥへの送信のために先取りされることとなることを示す制御信号のために、前記割り当てられたリソースを有する前記１つまたは複数のシンボルのうちの１つまたは複数をモニタするための手段と、
前記制御信号に少なくとも部分的に基づいて、前記ダウンリンク許可によって割り当てられた前記リソースの前記一部をキャンセルするかどうかを決定するための手段と
を備える、装置。
【請求項１３】
実行されると、コンピュータに、請求項１乃至１１のいずれか１項に従う方法を実行させるコンピュータ実行可能コードを格納しているコンピュータ読み取り可能媒体。
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
イントラ予測を実施する方法であって、
ピクセルの第1のブロックをイントラ予測するステップであって、ピクセルの前記第1のブロックをイントラ予測するステップは、ピクセルの前記第1のブロックのうちの他のピクセルをイントラ予測する前に、ピクセルの前記第1のブロックのうちのピクセルの1つまたは複数の優先される行または列をイントラ予測するステップを含み、ピクセルの前記1つまたは複数の優先される行または列は、ピクセルの前記第1のブロックに対する、ピクセルの第2のブロックの位置に基づいて優先度付けされ、ピクセルの前記第2のブロックは、符号化順にピクセルの前記第1のブロックに直ちに続くピクセルのブロックである、ステップと、
ピクセルの前記第2のブロックをイントラ予測するステップであって、ピクセルの前記第2のブロックをイントラ予測するステップは、前記イントラ予測された、ピクセルの前記第1のブロックのうちのピクセルの1つまたは複数の優先される行または列から再構築されたピクセルを使用するステップを含む、ステップとを含む方法。
【請求項２】
ピクセルの前記第2のブロックのイントラ予測のために前記再構築ピクセルを準備するステップをさらに含み、前記再構築ピクセルを準備するステップは、前記再構築ピクセルをパディングおよびフィルタリングするステップを含む、請求項1に記載の方法。
【請求項３】
ピクセルの前記第1のブロックの前記イントラ予測が完了する前に前記再構築ピクセルが準備される、請求項2に記載の方法。
【請求項４】
ピクセルの前記第1および第2のブロックは、両方とも共通イントラ予測モードに関連付けられた変換ブロックである、請求項1に記載の方法。
【請求項５】
ピクセルの前記第1および第2のブロックは、N個の処理エンジンによってイントラ予測され、各処理エンジンは、各処理サイクル中に異なるピクセルをイントラ予測する、請求項1に記載の方法。
【請求項６】
ピクセルの前記第1のブロックは、MピクセルかけるMピクセルのサイズを有し、ピクセルの前記第1のブロックのイントラ予測は、M*M/N処理サイクル続く、請求項5に記載の方法。
【請求項７】
ピクセルの前記第1および第2のブロックをイントラ予測する前記ステップは、1サイクルあたり2Nピクセルの読取り帯域幅を有するネイバーバッファから、ピクセルを受信するステップを含む、請求項5に記載の方法。
【請求項８】
ピクセルの前記第1のブロックのピクセルの前記1つまたは複数の優先される行または列をイントラ予測するステップは、4M+1個のピクセルを受信するステップ含む、請求項6に記載の方法。
【請求項９】
前記ピクセルを再構築するステップは、前記イントラ予測されたピクセルおよび残差値を加算するステップを含む、請求項1乃至8のいずれか1項に記載の方法。
【請求項１０】
ピクセルの前記第2のブロックは、ピクセルの前記第1のブロックの右にあり、ピクセルの前記1つまたは複数の優先される行または列は、前記ピクセルの前記第1のブロックの最右列であり、または、ピクセルの前記第2のブロックはピクセルの前記第1のブロックの下または左下にあり、ピクセルの前記1つまたは複数の優先される行または列は、ピクセルの前記第1のブロックの最下行である、請求項1乃至9のいずれか1項に記載の方法。
【請求項１１】
イントラ予測を実施するためのプロセッサであって、前記プロセッサは、
ピクセルの第1のブロックをイントラ予測することであって、ピクセルの前記第1のブロックをイントラ予測することは、ピクセルの前記第1のブロックのうちの他のピクセルをイントラ予測する前に、ピクセルの前記第1のブロックのうちのピクセルの1つまたは複数の優先される行または列をイントラ予測することを含み、ピクセルの前記1つまたは複数の優先される行または列は、ピクセルの前記第1のブロックに対する、ピクセルの第2のブロックの位置に基づいて優先度付けされ、ピクセルの前記第2のブロックは、符号化順にピクセルの前記第1のブロックに直ちに続くピクセルのブロックである、ピクセルの第1のブロックをイントラ予測することと、
ピクセルの前記第2のブロックをイントラ予測することであって、ピクセルの前記第2のブロックをイントラ予測することは、前記イントラ予測された、ピクセルの前記第1のブロックのうちのピクセルの1つまたは複数の優先される行または列から再構築されたピクセルを使用することを含む、ピクセルの前記第2のブロックをイントラ予測することとを行うために動作可能なプロセッサ。
【請求項１２】
イントラ予測のためのピクセルを受信および準備するために動作可能なネイバー処理ユニットと、
前記ネイバー処理ユニットによって準備されるピクセルを使用して、ピクセルの前記第1のブロックおよびピクセルの前記第2のブロックをイントラ予測するために動作可能なイントラ予測処理ユニットとを含む、請求項11に記載のプロセッサ。
【請求項１３】
ピクセルの前記第2のブロックのイントラ予測のために前記再構築ピクセルを準備するためにさらに動作可能であり、前記再構築ピクセルを準備することは、第1の複数の隣接ピクセルをパディングおよびフィルタリングすることを含む、請求項11に記載のプロセッサ。
【請求項１４】
前記再構築ピクセルは、ピクセルの前記第1のブロックの前記イントラ予測が完了する前に準備される、請求項13に記載のプロセッサ。
【請求項１５】
前記イントラ予測処理ユニットはN個の処理エンジンを備え、各処理エンジンは、各処理サイクル中に異なるピクセルをイントラ予測するために動作可能である、請求項11に記載のプロセッサ。
【請求項１６】
ピクセルを記憶するように動作可能なネイバーバッファをさらに備え、前記ネイバーバッファは、1サイクルあたり2Nピクセルの読取り帯域幅を有する、請求項15に記載のプロセッサ。
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
ユーザ機器でワイヤレス通信中に制御チャネルシグナリングの送信を変更する方法であって、
専用チャネル(DCH)で送信されるシグナリング情報に対応する通信状態を検出するステップであって、前記通信状態は、前記シグナリング情報のみが音声情報なしに前記DCHで送信されている状態に対応する、ステップと、
専用物理データチャネル(DPDCH)が前記通信状態の検出に基づいて送信されているかどうかを決定するステップであって、前記決定するステップが、1つまたは複数のシグナリング無線ベアラ(SRB)が現在送信されているかどうかを決定するステップをさらに含む、ステップと、
前記DPDCHが送信されていないとの前記決定に応じて専用物理制御チャネル(DPCCH)ゲーティングパターンを実行するステップであって、前記DPCCHゲーティングパターンを実行するステップは、前記1つまたは複数のSRBが送信されていないときに前記DPCCHを断続的に送信するステップを含み、前記1つまたは複数のSRBが送信されていないときに前記DPCCHを断続的に送信するステップが、1つまたは複数の送信時間間隔(TTI)の各々の大部分で前記DPCCHの不連続送信(DTX)を実行するステップをさらに含む、ステップと
を含む、方法。
【請求項２】
前記1つまたは複数のTTIの間、前記DPCCHのDTXを実行するステップが、SRB送信間隔の第1の部分にわたって前記DPCCHを送信するステップをさらに含む、請求項1に記載の方法。
【請求項３】
前記DPCCHゲーティングパターンが、ダウンリンク(DL)DPDCHゲーティングパターンに対応する、請求項1に記載の方法。
【請求項４】
前記DPDCHが送信されているとの前記決定に応じて前記DPCCHゲーティングパターンを実行することなく前記DPCCHを送信するステップをさらに含む、請求項1に記載の方法。
【請求項５】
前記シグナリング情報がシグナリング無線ベアラ(SRB)をさらに含む、請求項1に記載の方法。
【請求項６】
前記通信状態を検出するステップが、前記DCHのための無線ベアラを設定するときに行われる、請求項1に記載の方法。
【請求項７】
ワイヤレス通信中に制御チャネルシグナリングの送信を変更するためのユーザ機器であって、
専用チャネル(DCH)で送信されるシグナリング情報に対応する通信状態を検出するための手段であって、前記通信状態は、前記シグナリング情報のみが音声情報なしに前記DCHで送信されている状態に対応する、手段と、
専用物理データチャネル(DPDCH)が前記通信状態の検出に基づいて送信されているかどうかを決定するための手段であって、前記決定するための手段が、1つまたは複数のシグナリング無線ベアラ(SRB)が現在送信されているかどうかを決定するための手段をさらに含む、手段と、
前記DPDCHが送信されていないとの前記決定に応じて専用物理制御チャネル(DPCCH)ゲーティングパターンを実行するための手段であって、前記DPCCHゲーティングパターンを実行することは、前記1つまたは複数のSRBが送信されていないときに前記DPCCHを断続的に送信することを含み、前記1つまたは複数のSRBが送信されていないときに前記DPCCHを断続的に送信するための手段が、1つまたは複数の送信時間間隔(TTI)の各々の大部分で前記DPCCHの不連続送信(DTX)を実行するための手段をさらに含む、手段と
を含む、ユーザ機器。
【請求項８】
前記1つまたは複数のTTIの間、前記DPCCHのDTXを実行するための手段が、SRB送信間隔の第1の部分にわたって前記DPCCHを送信するための手段をさらに含む、請求項7に記載のユーザ機器。
【請求項９】
前記DPCCHゲーティングパターンが、ダウンリンク(DL)DPDCHゲーティングパターンに対応する、請求項8に記載のユーザ機器。
【請求項１０】
前記実行するための手段は、前記DPDCHが送信されているとの前記決定に応じて前記DPCCHゲーティングパターンを実行することなく前記DPCCHを送信するための手段をさらに含む、請求項8に記載のユーザ機器。
【請求項１１】
ユーザ機器のためのワイヤレス通信中に制御チャネルシグナリングの送信を変更するための実行可能コードを記憶する非一時的なコンピュータ可読記録媒体であって、
専用チャネル(DCH)で送信されるシグナリング情報に対応する通信状態を検出するためのコードであって、前記通信状態は、前記シグナリング情報のみが音声情報なしに前記DCHで送信されている状態に対応する、コードと、
専用物理データチャネル(DPDCH)が前記通信状態の検出に基づいて送信されているかどうかを決定するためのコードであって、前記決定するためのコードが、1つまたは複数のシグナリング無線ベアラ(SRB)が現在送信されているかどうかを決定するためのコードをさらに含む、コードと、
前記DPDCHが送信されていないとの前記決定に応じて専用物理制御チャネル(DPCCH)ゲーティングパターンを実行するためのコードであって、前記DPCCHゲーティングパターンを実行するためのコードが、前記1つまたは複数のSRBが送信されていないときに前記DPCCHを断続的に送信するためのコードを含み、前記1つまたは複数のSRBが送信されていないときに前記DPCCHを断続的に送信するためのコードが、1つまたは複数の送信時間間隔(TTI)の各々の大部分で前記DPCCHの不連続送信(DTX)を実行するためのコードをさらに含む、コードと
を含む、コンピュータ可読記録媒体。
【請求項１２】
前記1つまたは複数のTTIの間、前記DPCCHのDTXを実行するためのコードが、SRB送信間隔の第1の部分にわたって前記DPCCHを送信するためのコードをさらに含む、請求項11に記載のコンピュータ可読記録媒体。
【請求項１３】
前記実行するためのコードは、前記DPDCHが送信されているとの決定に応じて前記DPCCHゲーティングパターンを実行することなく前記DPCCHを送信するためのコードをさらに含む、請求項11に記載のコンピュータ可読記録媒体。